Podtech/llm-jp-corpus-v4-ja_patent huggingface dataset:
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
加工物上の溶接作業のために入力電力を受け、且つ溶接波形を溶接電極へ出力するように構成された溶接電力変換器と、
前記溶接電極と前記加工物との間の短絡事象を検出し、且つ前記溶接電極と前記加工物との間の短絡解除事象を検出する短絡検出回路と、
前記溶接作業中に溶接電流の極性を変更する可変極性回路と
を含む溶接システムであって、前記溶接波形は、
第１の極性及びバックグラウンド電流レベルを有するバックグラウンド部分と、
前記短絡検出回路が短絡事象を検出すると開始される短絡解除部分であって、第２の極性である、短絡解除部分と、
前記第１の極性を有し、且つ前記第１の極性におけるピーク電流レベルを有する電流パルスであって、前記短絡解除部分後に発生する、電流パルスと、
前記第１の極性を有し、且つ第２の継続時間後に発生するテールアウト部分と
を含む、溶接システム。
【請求項２】
前記短絡解除部分は、
第２の極性及び第１の継続時間にわたって維持される係合電流レベルを有する溶滴係合部分であって、前記短絡事象が検出された後に発生する、溶滴係合部分と、
第１の電流ランプレートを有する、前記第２の極性における第１のランプレート部分と、
第２の電流ランプレートと前記第２の極性におけるピーク電流とを有する、前記第２の極性における第２のランプレート部分と
を含み、前記第２の電流ランプレートは、前記第１の電流ランプレート未満であり、及び前記第２のランプレート部分は、前記第１のランプレート部分後に発生する、請求項１に記載の溶接システム。
【請求項３】
前記係合電流レベルは、３５〜７５アンペアの範囲である、請求項２に記載の溶接システム。
【請求項４】
前記第１の継続時間は、０．３〜２ｍｓの範囲である、請求項２に記載の溶接システム。
【請求項５】
前記第１の継続時間は、０．５〜１ｍｓの範囲である、請求項２に記載の溶接システム。
【請求項６】
前記第１の継続時間は、前記溶接作業の少なくとも１つの入力パラメータによって判断される所定の継続時間である、請求項２に記載の溶接システム。
【請求項７】
前記第２の極性におけるピーク電流は、２００〜６００アンペアの範囲である、請求項１に記載の溶接システム。
【請求項８】
前記第１のランプレート部分と前記第２のランプレート部分との間の遷移点は、前記第１の極性におけるピーク電流の５０〜１５０％の範囲である電流レベルである、請求項２に記載の溶接システム。
【請求項９】
前記第１の極性における前記ピーク電流レベルは、前記第２の極性におけるピーク電流レベル未満である、請求項２に記載の溶接システム。
【請求項１０】
前記溶接作業の電圧は、前記第２の極性における前記ピーク電流から前記第１の極性におけるピーク電流への遷移中に電圧ピークレベルに達し、前記電圧ピークレベルは、６０〜９０ボルトの範囲である、請求項２に記載の溶接システム。
【請求項１１】
溶接される加工物上に溶接作業のための溶接電力変換器を設ける工程と、
前記加工物上での前記溶接作業のために、前記溶接電力変換器から溶接電極へ溶接波形を出力する工程と、
前記溶接電極と前記加工物との間の短絡事象を検出する工程と
を含む溶接方法であって、前記溶接波形は、
第１の極性及びバックグラウンド電流レベルを有するバックグラウンド部分と、
前記短絡事象が検出されると開始される短絡解除部分であって、第２の極性である、短絡解除部分と、
前記第１の極性を有し、且つ前記第１の極性におけるピーク電流レベルを有する電流パルスであって、前記短絡解除部分後に発生する、電流パルスと、
前記第１の極性を有し、且つ第２の継続時間後に発生するテールアウト部分と
を含む、溶接方法。
【請求項１２】
前記溶接波形は、
第２の極性及び第１の継続時間にわたって維持される係合電流レベルを有する溶滴係合部分であって、前記短絡事象が検出された後に発生する、溶滴係合部分と、
第１の電流ランプレートを有する、前記第２の極性における第１のランプレート部分と、
第２の電流ランプレートと前記第２の極性におけるピーク電流とを有する、前記第２の極性における第２のランプレート部分と
をさらに含み、前記第２の電流ランプレートは、前記第１の電流ランプレート未満であり、及び前記第２のランプレート部分は、前記第１のランプレート部分後に発生する、請求項１１に記載の溶接方法。
【請求項１３】
前記係合電流レベルは、３５〜７５アンペアの範囲である、請求項１２に記載の溶接方法。
【請求項１４】
前記第１の継続時間は、０．３〜２ｍｓの範囲である、請求項１２に記載の溶接方法。
【請求項１５】
前記第１の継続時間は、０．５〜１ｍｓの範囲である、請求項１２に記載の溶接方法。
【請求項１６】
前記第１の継続時間は、前記溶接作業の少なくとも１つの入力パラメータによって判断される所定の継続時間である、請求項１２に記載の溶接方法。
【請求項１７】
前記第２の極性におけるピーク電流は、２００〜６００アンペアの範囲である、請求項１１に記載の溶接方法。
【請求項１８】
前記第１のランプレート部分と前記第２のランプレート部分との間の遷移点は、前記第１の極性におけるピーク電流の５０〜１５０％の範囲である電流レベルである、請求項１２に記載の溶接方法。
【請求項１９】
前記第１の極性における前記ピーク電流レベルは、前記第２の極性におけるピーク電流レベル未満である、請求項１２に記載の溶接方法。
【請求項２０】
前記溶接作業の電圧は、前記第２の極性における前記ピーク電流から前記第１の極性におけるピーク電流への遷移中に電圧ピークレベルに達し、前記電圧ピークレベルは、６０〜９０ボルトの範囲である、請求項１２に記載の溶接方法。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
遊技盤と、
前記遊技盤を保持する遊技機枠と、
遊技機枠に配された第１演出手段と、
前記遊技盤に配された第２演出手段と、
所定の演出を実行可能な演出実行手段と、を備え、
前記演出実行手段は、
前記第１演出手段を用いた第１演出を実行可能であり、
前記第２演出手段を用いた第２演出を実行可能であり、
前記第２演出には、前記第１演出手段を示唆する所定の画像を用いた示唆演出と、遊技者の視線を前記第１演出手段に向かわせる補助演出と、が含まれ、
前記第２演出手段は、
前記示唆演出が行われる場合に正面視で前記第１演出手段と一部重なる表示部であり、
前記補助演出は、
実行中の前記示唆演出の前記所定の画像と前記第１演出手段との間に位置する前記表示部の表示画面上で実行されるときがあることを特徴とする遊技機。
【手続補正２】
【補正対象書類名】明細書
【補正対象項目名】０００６
【補正方法】変更
【補正の内容】
【０００６】
本発明の遊技機は、
遊技盤と、
前記遊技盤を保持する遊技機枠と、
遊技機枠に配された第１演出手段と、
前記遊技盤に配された第２演出手段と、
所定の演出を実行可能な演出実行手段と、を備え、
前記演出実行手段は、
前記第１演出手段を用いた第１演出を実行可能であり、
前記第２演出手段を用いた第２演出を実行可能であり、
前記第２演出には、前記第１演出手段を示唆する所定の画像を用いた示唆演出と、遊技者の視線を前記第１演出手段に向かわせる補助演出と、が含まれ、
前記第２演出手段は、
前記示唆演出が行われる場合に正面視で前記第１演出手段と一部重なる表示部であり、
前記補助演出は、
実行中の前記示唆演出の前記所定の画像と前記第１演出手段との間に位置する前記表示部の表示画面上で実行されるときがあることを特徴とする。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
遊技として、少なくとも通常遊技と、該通常遊技より有利な有利遊技が存在する遊技機において、
外周面に複数種類の図柄が配置された複数の回胴と、
遊技毎に、抽選条件が成立したことを契機に、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
前記停止スイッチの操作順序を報知することが可能な報知手段と、
敵のヒット・ポイントから又は味方のヒット・ポイントから、ポイントを奪い合うバトル遊技の演出を表示する演出表示手段と、
前記内部抽選の結果に基づいて、敵から奪う与ポイント又は味方から奪う被ポイントを決定するポイント決定手段と、
前記バトル遊技における勝敗を決定する勝敗決定手段と、
を具備し、
前記通常遊技又は前記有利遊技の何れの遊技においても、前記内部抽選によりボーナス役が決定され、ボーナスゲームに移行すると、前記演出表示手段は前記バトル遊技の演出を表示し、
前記勝敗決定手段は、前記ボーナスゲーム中には味方のヒット・ポイントを０にしない一方、敵のヒット・ポイントを０にすると勝利とし、
前記勝敗決定手段は、前記ボーナスゲーム終了後に行われるバトル遊技においては、味方のヒット・ポイントが０になると負けとする一方、敵のヒット・ポイントを０にすると勝利とすること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、遊技として、少なくとも通常遊技と、該通常遊技より有利な有利遊技が存在する遊技機において、外周面に複数種類の図柄が配置された複数の回胴と、遊技毎に、抽選条件が成立したことを契機に、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、前記停止スイッチの操作順序を報知することが可能な報知手段と、敵のヒット・ポイントから又は味方のヒット・ポイントから、ポイントを奪い合うバトル遊技の演出を表示する演出表示手段と、前記内部抽選の結果に基づいて、敵から奪う与ポイント又は味方から奪う被ポイントを決定するポイント決定手段と、前記バトル遊技における勝敗を決定する勝敗決定手段と、を具備し、前記通常遊技又は前記有利遊技の何れの遊技においても、前記内部抽選によりボーナス役が決定され、ボーナスゲームに移行すると、前記演出表示手段は前記バトル遊技の演出を表示し、前記勝敗決定手段は、前記ボーナスゲーム中には味方のヒット・ポイントを０にしない一方、敵のヒット・ポイントを０にすると勝利とし、前記勝敗決定手段は、前記ボーナスゲーム終了後に行われるバトル遊技においては、味方のヒット・ポイントが０になると負けとする一方、敵のヒット・ポイントを０にすると勝利とすることを特徴とする。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
光源からの光を被検眼の眼底上で走査するために前記光の進行方向を変える光スキャナを有する走査光学系と、
前記光スキャナと前記被検眼との間に配置され、前記光スキャナからの前記光を前記眼底に導くための対物光学系と、を有し、前記光の眼底反射光に基づいて前記眼底の画像を形成する眼底撮影装置であって、
前記対物光学系は、
前記光スキャナからの前記光を反射することによって、前記光スキャナの動作に伴って前記光が旋回される第１旋回点を形成する第１ミラーと、
前記第１ミラーによって反射された前記光を更に反射することによって、前記被検眼に出射される前記光が旋回される第２旋回点を形成する第２ミラーと、を含み、
前記第１ミラーおよび前記第２ミラーの少なくともいずれかは、鏡面が自由曲面または奇数次非球面で形成されていることを特徴とする眼底撮影装置。
【請求項２】
前記第１ミラーおよび前記第２ミラーの少なくともいずれかは、鏡面が奇数次非球面鏡によって形成されている請求項１記載の眼底撮影装置。
【請求項３】
前記第２旋回点における前記光の振り角に対し、前記第１ミラーに入射される光の振り角が小さい、請求項１記載の眼底撮影装置。
【請求項４】
前記第１ミラーおよび前記第２ミラーのうち、パワーが小さい一方の鏡面が、前記自由曲面または前記非球面で形成されている請求項１から３の何れかに記載の眼底撮影装置。
【請求項５】
前記光スキャナと前記第１ミラーとの間に配置され、前記対物光学系における偏心収差を補正する第３ミラーを、更に備える請求項１から４の何れかに記載の眼底撮影装置。
【請求項６】
前記第１ミラーは、前記第２ミラーによって生じる非対称な像面歪曲を補正する請求項１から５の何れかに記載の眼底撮影装置。
【請求項７】
前記第１ミラーは、前記対物光学系の中で最も大きいパワーを持つ請求項１から６の何れかに記載の眼底撮影装置。
【請求項８】
前記走査光学系は、
第１光源からの光を走査する第１光スキャナを有し，前記第１光源からの光による前記眼底の正面画像を得るためのＳＬＯ光学系と、
第２光源からの測定光を走査する第２光スキャナを有し，光干渉の原理を用いて前記被検眼の断層画像を得るためのＯＣＴ光学系と、
前記第１光スキャナと前記第１ミラーとの間であり、且つ、前記第２光スキャナと前記第１ミラーとの間において、前記ＳＬＯ光学系の光路と前記ＯＣＴ光学系の光路とを結合させる光路結合部材と、を有する請求項１から７の何れかに記載の眼底撮影装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
遊技として、少なくとも通常遊技と、該通常遊技より有利な有利遊技が存在する遊技機において、
外周面に複数種類の図柄が配置された複数の回胴と、
遊技毎に、抽選条件が成立したことを契機に、役を内部抽選する役抽選手段と、
遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、
前記複数の回胴が全て停止したときの図柄の組合せ表示態様に応じて遊技価値を付与する付与手段と、
前記通常遊技と前記有利遊技とを、少なくとも実行可能な遊技実行手段と、
当落抽選を行って、当選又は落選を決定する当落決定手段と、
前記停止スイッチの操作順序を報知することが可能な報知手段と、
を具備し、
前記有利遊技が開始して、少なくとも１以上の特典が付与され、該有利遊技の終了条件が成立すると、前記遊技実行手段は判定遊技に移行させ、
前記判定遊技において、前記当落決定手段は、少なくとも前記特典数分の当落抽選を実行することが可能であり、
前記遊技実行手段は、前記当落抽選で落選が決定されると現在の特典数から１を減算し、該特典数が０になったら、前記通常遊技に移行させる一方、該当落抽選で当選が決定されると現在の特典数を維持して、再び有利遊技に移行させること、
を特徴とする遊技機。
【手続補正２】
【補正対象書類名】明細書
【補正対象項目名】００１３
【補正方法】変更
【補正の内容】
【００１３】
請求項１に係る本発明の遊技機は、上記の目的を達成する為に、遊技として、少なくとも通常遊技と、該通常遊技より有利な有利遊技が存在する遊技機において、外周面に複数種類の図柄が配置された複数の回胴と、遊技毎に、抽選条件が成立したことを契機に、役を内部抽選する役抽選手段と、遊技毎に複数の回胴を回転させ、各々の回胴に対応して設けられた停止スイッチの操作を受け付けて、対応する回胴を個々に停止させ、前記内部抽選の結果に応じて図柄を表示する図柄表示制御手段と、前記複数の回胴が全て停止したときの図柄の組合せ表示態様に応じて遊技価値を付与する付与手段と、前記通常遊技と前記有利遊技とを、少なくとも実行可能な遊技実行手段と、当落抽選を行って、当選又は落選を決定する当落決定手段と、前記停止スイッチの操作順序を報知することが可能な報知手段と、を具備し、前記有利遊技が開始して、少なくとも１以上の特典が付与され、該有利遊技の終了条件が成立すると、前記遊技実行手段は判定遊技に移行させ、前記判定遊技において、前記当落決定手段は、少なくとも前記特典数分の当落抽選を実行することが可能であり、前記遊技実行手段は、前記当落抽選で落選が決定されると現在の特典数から１を減算し、該特典数が０になったら、前記通常遊技に移行させる一方、該当落抽選で当選が決定されると現在の特典数を維持して、再び有利遊技に移行させることが可能であることを特徴とする。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
レーザモジュールと、
前記レーザモジュールから出射された第１レーザ光を走査する走査光学部材と、
前記走査光学部材で走査された前記第１レーザ光をユーザの網膜に投射して前記網膜に画像を投影する投射光学部材と、を備え、
前記レーザモジュールは、
レーザ素子と、
前記レーザ素子が発振するレーザ光を第１方向と第２方向に分光すると共に、前記第１方向に分光する前記第１レーザ光の光量が前記第２方向に分光する第２レーザ光の光量よりも小さい光学素子と、
前記光学素子によって前記第２方向に分光された前記第２レーザ光を受光する受光素子と、を備えるレーザ投射装置。
【請求項２】
前記レーザモジュールは、
複数の前記レーザ素子を備え、
前記光学素子は前記複数のレーザ素子が発振する複数のレーザ光それぞれを前記第１方向の前記第１レーザ光と前記第２方向の前記第２レーザ光とに分光し、
前記複数のレーザ素子それぞれにおける前記第１レーザ光は前記光学素子によって同軸上に合成される、請求項１記載のレーザ投射装置。
【請求項３】
前記複数のレーザ素子はそれぞれ異なる波長帯のレーザ光を発振し、
前記受光素子は前記複数のレーザ素子が発振する複数のレーザ光の波長帯それぞれに感度を有する複数の受光領域を備える、請求項２記載のレーザ投射装置。
【請求項４】
前記複数のレーザ素子はそれぞれ異なる波長帯のレーザ光を発振し、
前記受光素子は前記複数のレーザ素子が発振する複数のレーザ光の波長帯全てに感度を有する１つの受光領域を備える、請求項２記載のレーザ投射装置。
【請求項５】
前記レーザ素子が発振するレーザ光はレンズを介さずに前記光学素子に入射する、請求項１から４のいずれか一項記載のレーザ投射装置。
【請求項６】
前記受光素子が受光する前記第２レーザ光は発散光である、請求項１から５のいずれか一項記載のレーザ投射装置。
【請求項７】
前記レーザ投射装置はメガネ形状であって、
前記レーザモジュールが取り付けられたメガネのつるを備える、請求項１から６のいずれか一項記載のレーザ投射装置。
【請求項８】
前記投射光学部材は、前記網膜にビーム状の前記第１レーザ光を投射して前記網膜に前記画像を投影する、請求項１から７のいずれか一項記載のレーザ投射装置。
【手続補正２】
【補正対象書類名】明細書
【補正対象項目名】発明の名称
【補正方法】変更
【補正の内容】
【発明の名称】レーザ投射装置
【手続補正３】
【補正対象書類名】明細書
【補正対象項目名】０００１
【補正方法】変更
【補正の内容】
【０００１】
本発明は、レーザ投射装置に関する。
【手続補正４】
【補正対象書類名】明細書
【補正対象項目名】０００６
【補正方法】変更
【補正の内容】
【０００６】
本発明は、上記課題に鑑みなされたものであり、光強度の小さいレーザ光の出射と受光素子の検出精度の低下抑制とを実現可能なレーザ投射装置を提供することを目的とする。
【手続補正５】
【補正対象書類名】明細書
【補正対象項目名】０００７
【補正方法】変更
【補正の内容】
【０００７】
本発明は、レーザモジュールと、前記レーザモジュールから出射された第１レーザ光を走査する走査光学部材と、前記走査光学部材で走査された前記第１レーザ光をユーザの網膜に投射して前記網膜に画像を投影する投射光学部材と、を備え、前記レーザモジュールは、レーザ素子と、前記レーザ素子が発振するレーザ光を第１方向と第２方向に分光すると共に、前記第１方向に分光する前記第１レーザ光の光量が前記第２方向に分光する第２レーザ光の光量よりも小さい光学素子と、前記光学素子によって前記第２方向に分光された前記第２レーザ光を受光する受光素子と、を備えるレーザ投射装置である。
【手続補正６】
【補正対象書類名】明細書
【補正対象項目名】０００８
【補正方法】変更
【補正の内容】
【０００８】
上記構成において、前記レーザモジュールは、複数の前記レーザ素子を備え、前記光学素子は前記複数のレーザ素子が発振する複数のレーザ光それぞれを前記第１方向の前記第１レーザ光と前記第２方向の前記第２レーザ光とに分光し、前記複数のレーザ素子それぞれにおける前記第１レーザ光は前記光学素子によって同軸上に合成される構成とすることができる。
【手続補正７】
【補正対象書類名】明細書
【補正対象項目名】００１３
【補正方法】変更
【補正の内容】
【００１３】
上記構成において、前記レーザ投射装置はメガネ形状であって、前記レーザモジュールが取り付けられたメガネのつるを備える構成とすることができる。
【手続補正８】
【補正対象書類名】明細書
【補正対象項目名】００１４
【補正方法】変更
【補正の内容】
【００１４】
上記構成において、前記投射光学部材は、前記網膜にビーム状の前記第１レーザ光を投射して前記網膜に前記画像を投影する構成とすることができる。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
コンピュータゲームの一部として実行されるゲームイベントと、前記ゲームイベントの開催期間を対応づけて記憶するイベント格納部と、
前記開催期間において前記ゲームイベントを実行するイベント実行部と、
前記ゲームイベントの実行情報を含むプレイヤ情報を記憶するプレイヤ情報記憶部と、を備え、
前記イベント実行部は、前記開催期間終了後のゲームイベントである過去イベントであっても、前記過去イベントを実行していないプレイヤに対しては実行権を付与することを特徴とする情報処理装置。
【請求項２】
前記イベント格納部は、更に、前記ゲームイベントのクリア条件と前記クリア条件が成立したときに付与される特典を前記ゲームイベントに対応づけて記憶し、
前記イベント実行部は、過去イベントのクリア条件を成立させたプレイヤにも特典を付与することを特徴とする請求項１に記載の情報処理装置。
【請求項３】
前記イベント実行部は、過去イベントを実行していない第１のプレイヤに前記過去イベントの実行権を付与するときには、前記過去イベントの開催期間において前記過去イベントを実行済みであった第２のプレイヤに対し、前記第１のプレイヤと共同で前記過去イベントに参加する権利を付与することを特徴とする請求項１または２に記載の情報処理装置。
【請求項４】
前記イベント実行部は、前記クリア条件が成立したときには前記第２のプレイヤに特典を付与することを特徴とする請求項３に記載の情報処理装置。
【請求項５】
前記イベント実行部は、前記第１のプレイヤと前記第２のプレイヤとが所定回数続けて共同で過去イベントに参加しているとき、前記第１のプレイヤと前記第２プレイヤによる過去イベントへの共同参加を制限することを特徴とする請求項３または４に記載の情報処理装置。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
互いに異なる方向を中心とした光を射出する第１の光射出部および第２の光射出部を備え、
前記第１の光射出部は、
第１光軸に沿って光を射出する第１光源と、
前記第１光源から射出された光を平行化するための第１コリメーターレンズと、
前記第１コリメーターレンズを通過した光を第１の所定方向に広角化する第１光学素子と、を備え、
前記第２の光射出部は、
第２光軸に沿って光を射出する第２光源と、
前記第２光源から射出された光を平行化するための第２コリメーターレンズと、
前記第２コリメーターレンズを通過した光を第２の所定方向に広角化する第２光学素子と、を備え、
前記第１の光射出部および前記第２の光射出部は、前記第１光源から前記第１光学素子に至る第１光路と、前記第２光源から前記第２光学素子に至る第２光路とが、前記第１光学素子および前記第２光学素子の光路前段で交差し、それぞれが射出する光の一部が重なるように配置されていることを特徴とする光射出装置。
【請求項２】
請求項１に記載の光射出装置であって、
前記第１の所定方向は、前記第１光軸に直交する方向であり、
前記第２の所定方向は、前記第２光軸に直交する方向であり、
前記第１光学素子は、入射した光を前記第１の所定方向に広角化し、
前記第２光学素子は、入射した光を前記第２の所定方向に広角化することを特徴とする光射出装置。
【請求項３】
請求項１または請求項２に記載の光射出装置であって、
前記第１光学素子は、前記第１の所定方向に対応する方向に沿って配列され、入射した光を広角化させる複数の小レンズを有し、
前記第２光学素子は、前記第２の所定方向に対応する方向に沿って配列され、入射した光を広角化させる複数の小レンズを有していることを特徴とする光射出装置。
【請求項４】
請求項１〜請求項３のいずれか一項に記載の光射出装置であって、
前記第１光学素子と前記第２光学素子とが一体化されていることを特徴とする光射出装置。
【請求項５】
請求項１〜請求項４のいずれか一項に記載の光射出装置であって、
前記第１コリメーターレンズおよび前記第１光学素子は、前記第１光軸上に配置され、
前記第２コリメーターレンズおよび前記第２光学素子は、前記第２光軸上に配置され、
前記第１光路と前記第２光路とは、前記第１コリメーターレンズと前記第１光学素子との間、および前記第２コリメーターレンズと前記第２光学素子との間で交差していることを特徴とする光射出装置。
【請求項６】
請求項１〜請求項４のいずれか一項に記載の光射出装置であって、
前記第１光源および前記第２光源は、互いに向き合う側に光を射出するように配置され、
前記第１の光射出部は、前記第１コリメーターレンズを通過した光の進行方向を変更する第１方向変更部を備え、
前記第１光学素子は、前記第１方向変更部を通過した光を広角化し、
前記第２の光射出部は、前記第２コリメーターレンズを通過した光の進行方向を変更する第２方向変更部を備え、
前記第２光学素子は、前記第２方向変更部を通過した光を広角化し、
前記第１光路と前記第２光路とは、前記第１方向変更部と前記第１光学素子との間、および前記第２方向変更部と前記第２光学素子との間で交差していることを特徴とする光射出装置。
【請求項７】
請求項１〜請求項４のいずれか一項に記載の光射出装置であって、
前記第１光源および前記第２光源は、互いに向き合う側に光を射出するように配置され、
前記第１の光射出部は、前記第１コリメーターレンズの光路後段に配置され、第１偏光を透過し、第２偏光を反射する第１偏光素子を備え、
前記第２の光射出部は、前記第２コリメーターレンズの光路後段に配置され、第１偏光を透過し、第２偏光を反射する第２偏光素子を備え、
前記光射出装置は、
前記第１偏光素子と前記第２偏光素子との間に配置され、第１偏光を第２偏光に変換する第１位相差素子を備え、
前記第１光学素子は、前記第１偏光素子を透過して前記第１位相差素子で変換された後、前記第２偏光素子にて反射した光を広角化し、
前記第２光学素子は、前記第２偏光素子を透過して前記第１位相差素子で変換された後、前記第１偏光素子にて反射した光を広角化し、
前記第１光路と前記第２光路とは、前記第１光学素子と前記第２偏光素子との間、および前記第２光学素子と前記第１偏光素子との間で交差していることを特徴とする光射出装置。
【請求項８】
請求項７に記載の光射出装置であって、
前記第１の光射出部は、前記第１光学素子と前記第２偏光素子との間に配置され、第２偏光を第１偏光に変換する第２位相差素子を備え、
前記第２の光射出部は、前記第２光学素子と前記第１偏光素子との間に配置され、前記第２偏光を前記第１偏光に変換する第３位相差素子を備え、
前記第１光学素子は、前記第２偏光素子にて反射した後、前記第２位相差素子で変換された前記第１偏光を広角化し、
前記第２光学素子は、前記第１偏光素子にて反射した後、前記第３位相差素子で変換された前記第１偏光を広角化し、
前記第１光路と前記第２光路とは、前記第２位相差素子と前記第１光学素子との間、および前記第３位相差素子と前記第２光学素子との間で交差していることを特徴とする光射出装置。
【請求項９】
請求項１〜請求項４のいずれか一項に記載の光射出装置であって、
前記第１光源および前記第２光源は、同一方向に向かって光を射出し、
前記第１の光射出部は、前記第１コリメーターレンズを通過した光を、前記第１光軸に交差する方向に反射する第１ミラーを備え、
前記第１光学素子は、前記第１ミラーで反射した光を広角化し、
前記第２の光射出部は、前記第２コリメーターレンズを通過した光を、前記第２光軸に交差する方向に反射する第２ミラーを備え、
前記第２光学素子は、前記第２ミラーで反射した光を広角化し、
前記第１光路と前記第２光路とは、前記第１ミラーと前記第１光学素子との間、および前記第２ミラーと前記第２光学素子との間で交差していることを特徴とする光射出装置。
【請求項１０】
請求項１〜請求項９のいずれか一項に記載の光射出装置と、
前記光射出装置から射出された光の反射位置を検出する検出装置と、
前記検出装置により検出された検出結果に応じた画像を投写する投写装置と、
を備えることを特徴とする画像表示システム。
【手続補正書】
【提出日】令和2年4月20日(2020.4.20)
【手続補正１】
【補正対象書類名】明細書
【補正対象項目名】０００７
【補正方法】変更
【補正の内容】
【０００７】
本発明の第１の態様は、座部と背もたれ部とを備え、前記座部は、座面の前端が後端よりも下方に位置するように設けられ、前記背もたれ部は、着座者が着座時に前記座部とのなす角度を鈍角に保持可能な椅子であって、前記座部の前方部位は、前記座部の後方部位に対して上下方向に傾動可能に設けられた保持部を備える、椅子である。
【手続補正２】
【補正対象書類名】明細書
【補正対象項目名】００１０
【補正方法】変更
【補正の内容】
【００１０】
このような構成によれば、着座者の好みによって前方部位の後方部位に対する傾動角度を設定することができる。
本発明の第２の態様は、座部と背もたれ部とを備え、前記座部は、座面の前端が後端よりも下方に位置するように設けられ、前記背もたれ部は、着座者が着座時に前記座部とのなす角度を鈍角に保持可能な椅子であって、前記背もたれ部の左右方向の両側部には、前記背もたれ部の左右方向の中央部よりも前方に突出して前記着座者の腰部を両側から支持可能な左右一組の前方延出部が設けられ、前記背もたれ部は、前記左右一組の前方延出部の間隔が調整可能に構成されている、椅子である。
本発明の第３の態様は、座部と背もたれ部とを備え、前記座部は、座面の前端が後端よりも下方に位置するように設けられ、前記背もたれ部は、着座者が着座時に前記座部とのなす角度を鈍角に保持可能な椅子であって、前記座部の左右方向の両側には、前記座部の左右方向の中央部よりも上方に突出して前記着座者の少なくとも臀部を両側から支持可能な左右一組の上方延出部が設けられ、前記座部は、前記左右一組の上方延出部の間隔が調整可能に構成されている、椅子である。
本発明の第４の態様は、座部と、背もたれ部と、前記座部を支持するための前脚及び後脚とを備え、前記座部は、左右方向に延在した前方フレーム及び後方フレームと、前記前方フレームと前記後方フレームとを互いに連結するように設けられた面状の座部本体と、を有し、前記前方フレームは、前記前脚の上端に設けられた前方支持部に支持され、前記後方フレームは、前記後脚の上端に設けられた後方支持部に支持され、前記後方支持部は、前記前方支持部よりも上方に位置している、椅子である。

【手続補正３】
【補正対象書類名】特許請求の範囲
【補正対象項目名】全文
【補正方法】変更
【補正の内容】
【特許請求の範囲】
【請求項１】
座部と背もたれ部とを備え、
前記座部は、座面の前端が後端よりも下方に位置するように設けられ、
前記背もたれ部は、着座者が着座時に前記座部とのなす角度を鈍角に保持可能な椅子であって、
前記座部の前方部位は、前記座部の後方部位に対して上下方向に傾動可能に設けられた保持部を備える、椅子。
【請求項２】
請求項１記載の椅子であって、
前記保持部は、前記前方部位の前記後方部位に対する傾動角度を複数の角度位置で保持可能に構成されている、椅子。
【請求項３】
請求項１又は２に記載の椅子であって、
前記背もたれ部は、前記座部に対して一体的に設けられている、椅子。
【請求項４】
座部と背もたれ部とを備え、
前記座部は、座面の前端が後端よりも下方に位置するように設けられ、
前記背もたれ部は、着座者が着座時に前記座部とのなす角度を鈍角に保持可能な椅子であって、
前記背もたれ部の左右方向の両側部には、前記背もたれ部の左右方向の中央部よりも前方に突出して前記着座者の腰部を両側から支持可能な左右一組の前方延出部が設けられ、
前記背もたれ部は、前記左右一組の前方延出部の間隔が調整可能に構成されている、椅子。
【請求項５】
請求項４記載の椅子であって、
前記背もたれ部は、前記左右一組の前方延出部の間に前記着座者が位置することによって前記左右一組の前方延出部の間隔を押し広げることが可能なように弾性変形可能に構成されている、椅子。
【請求項６】
座部と背もたれ部とを備え、
前記座部は、座面の前端が後端よりも下方に位置するように設けられ、
前記背もたれ部は、着座者が着座時に前記座部とのなす角度を鈍角に保持可能な椅子であって、
前記座部の左右方向の両側には、前記座部の左右方向の中央部よりも上方に突出して前記着座者の少なくとも臀部を両側から支持可能な左右一組の上方延出部が設けられ、
前記座部は、前記左右一組の上方延出部の間隔が調整可能に構成されている、椅子。
【請求項７】
請求項６記載の椅子であって、
前記座部は、前記左右一組の上方延出部の間に前記着座者が位置することによって、前記左右一組の上方延出部の間隔を押し広げることが可能なように弾性変形可能に構成されている、椅子。
【請求項８】
座部と、背もたれ部と、前記座部を支持するための前脚及び後脚とを備え、
前記座部は、
左右方向に延在した前方フレーム及び後方フレームと、
前記前方フレームと前記後方フレームとを互いに連結するように設けられた面状の座部本体と、を有し、
前記前方フレームは、前記前脚の上端に設けられた前方支持部に支持され、
前記後方フレームは、前記後脚の上端に設けられた後方支持部に支持され、
前記後方支持部は、前記前方支持部よりも上方に位置している、椅子。
【請求項９】
請求項８記載の椅子であって、
前記前方支持部には、上方に開口するとともに前記前方フレームが配設可能な第１凹部が前後方向に複数設けられ、
前記後方支持部には、上方に開口するとともに前記後方フレームが配設可能な第２凹部が前後方向に複数設けられている、椅子。
【請求項１０】
請求項９記載の椅子であって、
前記前方支持部には、前記第１凹部から前記前方支持部が離脱することを阻止する第１ロック機構が設けられ、
前記後方支持部には、前記第２凹部から前記後方支持部が離脱することを阻止する第２ロック機構が設けられている、椅子。
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
第１物理量検出信号に基づく第１アナログ信号を、連続的にＡ／Ｄ変換する第１変換部と、
前記第１物理量検出信号に基づく第２アナログ信号と、第１基準電圧と、を含む複数の信号を入力し、時分割に出力する切替部と、
前記切替部の出力を、Ａ／Ｄ変換する第２変換部と、
比較判定部と、
を備え、
前記比較判定部は、前記第１変換部が前記第１アナログ信号をＡ／Ｄ変換した第１デジタル信号に基づく信号と、前記第２変換部が前記第２アナログ信号をＡ／Ｄ変換した第２デジタル信号に基づく信号と、により前記第１変換部の故障の判定を行う、故障判定回路。
【請求項２】
自己判定部をさらに備え、
前記自己判定部は、前記第２変換部が前記第１基準電圧をＡ／Ｄ変換した信号に基づき、前記第２変換部の故障の判定を行う、請求項１に記載の故障判定回路。
【請求項３】
前記切替部には、第２基準電圧がさらに入力され、
前記自己判定部は、前記第２変換部が前記第２基準電圧をＡ／Ｄ変換した信号に基づき、前記第２変換部の故障判定を行う、請求項２に記載の故障判定回路。
【請求項４】
前記切替部には、第２物理量検出信号がさらに入力される、請求項１乃至３のいずれか１項に記載の故障判定回路。
【請求項５】
補正部をさらに含み、
前記第２物理量検出信号は、温度に基づく信号であって、
前記補正部は、前記第２物理量検出信号を前記第２変換部でＡ／Ｄ変換した第３デジタル信号に基づき、前記第１デジタル信号を補正する、請求項４に記載の故障判定回路。
【請求項６】
前記第１変換部のサンプリングレートは、前記第２変換部のサンプリングレートに比べ
高い、請求項１乃至５のいずれか１項に記載の故障判定回路。
【請求項７】
前記第１変換部の分解能は、前記第２変換部の分解能に比べ高い、請求項１乃至６のいずれか１項に記載の故障判定回路。
【請求項８】
前記切替部には、選択信号がさらに入力され、
前記切替部は、入力される、前記第２アナログ信号と、前記第１基準電圧と、を含む複数の信号のうちのいずれかを、前記選択信号に従い選択し出力する、請求項１乃至７のいずれか１項に記載の故障判定回路。
【請求項９】
第３物理量検出信号に基づく第３アナログ信号を、連続的にＡ／Ｄ変換する第３変換部をさらに備え、
前記切替部には、前記第３物理量検出信号に基づく第４アナログ信号がさらに入力され、
前記比較判定部は、前記第３変換部が前記第３アナログ信号をＡ／Ｄ変換した第４デジタル信号に基づく信号と、前記第２変換部が前記第４アナログ信号をＡ／Ｄ変換した第５デジタル信号に基づく信号と、を比較し、前記第３変換部の故障判定を行う、請求項１乃至８のいずれか１項に記載の故障判定回路。
【請求項１０】
第１物理量検出信号に基づく第１アナログ信号を連続的にＡ／Ｄ変換する第１変換部と、前記第１物理量検出信号に基づく第２アナログ信号と第１基準電圧とを含む複数の信号を入力し時分割に出力する切替部と、前記切替部の出力をＡ／Ｄ変換する第２変換部と、前記第１変換部の出力信号と前記第２変換部の出力信号とを比較する比較判定部と、を備える故障判定回路において、
前記第１変換部が、前記第１アナログ信号をＡ／Ｄ変換した第１デジタル信号に基づく信号と、前記第２変換部が前記第２アナログ信号をＡ／Ｄ変換した第２デジタル信号に基づく信号と、を前記比較判定部が比較し前記第１変換部の故障判定を行うステップを含む、故障判定方法。
【請求項１１】
請求項１乃至９のいずれか１項に記載の故障判定回路を備えている、物理量検出装置。
【請求項１２】
請求項１１に記載の物理量検出装置を備えている、電子機器。
【請求項１３】
請求項１１に記載の物理量検出装置を備えている、移動体。
【手続補正２】
【補正対象書類名】明細書
【補正対象項目名】００２９
【補正方法】変更
【補正の内容】
【００２９】
本適用例に係る故障判定方法によれば、第１変換部は、第１物理量検出信号に基づく第１アナログ信号をＡ／Ｄ変換し第１デジタル信号を生成し、第２変換部は、第１物理量検出信号に基づく第２アナログ信号をＡ／Ｄ変換し第２デジタル信号を生成する。すなわち、第１デジタル信号と、第２デジタル信号とは、第１物理量検出信号に基づく同等の信号である。そして比較判定部において、第１デジタル信号と第２デジタル信号との比較を行う。第１デジタル信号と、第２デジタル信号とは、同等の信号であるため、比較判定部は、例えば、第１デジタル信号と、第２デジタル信号との差分を検出するなどの比較を行うことで、第１変換部及び第２変換部の変換結果が正しいかの判断が可能となる。よって、連続的に動作する第１変換部の動作を停止させることなく、第１変換部の故障判定ができる。
【手続補正３】
【補正対象書類名】明細書
【補正対象項目名】００９４
【補正方法】変更
【補正の内容】
【００９４】
マルチプレクサ−４３０（「切替部」の一例）は、検出回路３０から入力された角速度信号ＶＡＯ２０、温度センサー７０から入力された温度信号ＶＴＯ、第１電圧ＶＲＥＦ１、第２電圧ＶＲＥＦ２及び制御信号Ｃｔｒ１が入力され、ＭＵＸ出力信号ＶＭＯを出力する。すなわち、マルチプレクサ−４３０は、角速度信号ＶＡＯ２０と、第１電圧ＶＲＥＦ１と、第２電圧ＶＲＥＦ２と、温度センサー７０（「第２物理量検出素子」の一例）が検出した温度信号ＶＴＯ（「第２物理量検出信号」の一例）と、を含む複数の信号を入力し、時分割にＭＵＸ出力信号ＶＭＯとして出力する。換言すれば、ＭＵＸ出力信号ＶＭＯは、角速度信号ＶＡＯ２０、温度信号ＶＴＯ、第１電圧ＶＲＥＦ１及び第２電圧ＶＲＥＦ２を含む一つの信号である。なお、マルチプレクサ−４３０に入力される信号は、これらに限られず、例えば、圧力、湿度等の信号が入力されてもよい。
【手続補正４】
【補正対象書類名】明細書
【補正対象項目名】０１５３
【補正方法】変更
【補正の内容】
【０１５３】
デジタル演算回路４１は、Ａ／Ｄ変換回路４１０，４１１，４１２、Ａ／Ｄ変換回路４２０、マルチプレクサ−４３０、電圧生成部４４０、切替制御部４５０、クロック生成回路４６０及びＤＳＰ５０を含む。デジタル演算回路４１は、これらの要素の一部を省略又は変更し、あるいは他の要素を追加した構成としてもよい。
【手続補正５】
【補正対象書類名】図面
【補正対象項目名】図１０
【補正方法】変更
【補正の内容】
【図１０】
2018166274.tif 000001
【手続補正６】
【補正対象書類名】図面
【補正対象項目名】図１２
【補正方法】変更
【補正の内容】
【図１２】
2018166274.tif 000002
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
患者の手の止血すべき部位を覆うように配置される被覆部と、 前記被覆部が前記止血すべき部位を覆った状態で、前記止血すべき部位を圧迫する押圧部と、を有し、 前記被覆部は、前記押圧部を覆いつつ、前記手の少なくとも一部を覆う固定部と、前記固定部の軸方向への移動を規制する規制部と、を備え、 前記固定部は、前記手の前記止血すべき部位に巻きつける帯体部と、前記帯体部を前記手の周囲に巻き付け状態で固定する保持部と、を備え、 前記規制部は、前記帯体部に固定された第１端部と、前記第１端部と対向し、前記帯体部と着脱自在に形成される第２端部と、を有し、 前記第１端部は、前記規制部の長手方向において、前記押圧部の一部と重なる位置で、前記帯体部に固定されており、 前記第１端部の前記帯体部への固定位置は、前記帯体部の長手方向において、前記押圧部の面方向の略中心位置からずれている、止血器具。
【請求項２】
前記帯体部の長手方向における前記固定位置の中心位置と前記帯体部の長手方向における前記規制部の中心位置が同一であり、 前記固定位置の中心位置及び前記規制部の中心位置は、前記押圧部の面方向の略中心位置からずれている、請求項１の止血器具。
【請求項３】
前記保持部は、前記帯体部の長手方向の異なる箇所にそれぞれ配置され互いに接合分離可能な第１保持部と第２保持部を有し、 前記第２保持部は、前記帯体部の長手方向の一端部側の外面に配置されており、 前記固定位置は、前記帯体部の長手方向において、前記押圧部の面方向の略中心位置から前記第２保持部が配置された前記一端部側へずれている、請求項１又は請求項２に記載の止血器具。
【請求項４】
前記押圧部を前記止血すべき部位と重なるように配置合わせするためのマーカー部を有し、 前記マーカー部は、前記押圧部の面方向の略中心位置に配置される、請求項１〜３のいずれか１項に記載の止血器具。
【請求項５】
前記規制部は、前記帯体部の幅よりも小さな幅を備えるように形成される、請求項１〜４のいずれか１項に記載の止血器具。
【手続補正２】
【補正対象書類名】明細書
【補正対象項目名】発明の名称
【補正方法】変更
【補正の内容】
【発明の名称】止血器具
【手続補正３】
【補正対象書類名】明細書
【補正対象項目名】０００１
【補正方法】変更
【補正の内容】
【０００１】  本発明は止血器具に関する。
【手続補正４】
【補正対象書類名】明細書
【補正対象項目名】０００６
【補正方法】変更
【補正の内容】
【０００６】  本発明は、上記課題を鑑みてなされたものであり、例えば、血管内に挿入した医療用長尺体のキンク、トルク伝達性の低下、操作性の低下等が発生するのを抑制できる処置方法に使用することができる止血器具を提供することを目的とする。
【手続補正５】
【補正対象書類名】明細書
【補正対象項目名】０００７
【補正方法】変更
【補正の内容】
【０００７】  上記目的を達成する止血器具は、患者の手の止血すべき部位を覆うように配置される被覆部と、前記被覆部が前記止血すべき部位を覆った状態で、前記止血すべき部位を圧迫する押圧部と、を有し、前記被覆部は、前記押圧部を覆いつつ、前記手の少なくとも一部を覆う固定部と、前記固定部の軸方向への移動を規制する規制部と、を備え、前記固定部は、前記手の前記止血すべき部位に巻きつける帯体部と、前記帯体部を前記手の周囲に巻き付け状態で固定する保持部と、を備え、前記規制部は、前記帯体部に固定された第１端部と、前記第１端部と対向し、前記帯体部と着脱自在に形成される第２端部と、を有し、前記第１端部は、前記規制部の長手方向において、前記押圧部の一部と重なる位置で、前記帯体部に固定されており、前記第１端部の前記帯体部への固定位置は、前記帯体部の長手方向において、前記押圧部の面方向の略中心位置からずれている。
【手続補正６】
【補正対象書類名】明細書
【補正対象項目名】０００８
【補正方法】変更
【補正の内容】
【０００８】  上記止血器具を使用した処置方法によれば、医療用長尺体が屈曲した血管走行が少ない手掌動脈の尺骨動脈側に配置されるため、術者等は、医療用長尺体のキンク、トルク伝達性の低下、操作性の低下等が発生するのを抑制しつつ、患者の手掌動脈内に医療用長尺体を留置することができる。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
遊技球を貯留する球タンク部と、
前記遊技球を受け入れ、当該遊技球を下方に備える払出装置へ流下する流下通路部と、前記球タンク部に貯留された前記遊技球を、前記流下通路部の球受け入れ口へと誘導す
る誘導レール部と、
外部装置と接続可能な外部端子板と、を備え、
前記外部端子板が、遊技機後方から見たとき、前記球タンク部の右側であって、前記流
下通路部の前記球受け入れ口よりも上側の位置に設けられた遊技機において、
前記誘導レール部は、前記球タンク部を構成する後端壁部より後方へと前記外部端子板
から遠ざかるように屈曲し、当該外部端子板の下方の前記流下通路部の前記球受け入れ口へと遊技球を誘導可能に形成されており、
前記球タンク部は、帯電した遊技球の静電気を当該球タンク部を通じて除電可能に構成
されている
ことを特徴とする遊技機。
【手続補正２】
【補正対象書類名】明細書
【補正対象項目名】０００２
【補正方法】変更
【補正の内容】
【０００２】
パチンコ機等に代表される遊技機において、静電気によって誤作動を起こすことが知られている（例えば特許文献１）。
【手続補正３】
【補正対象書類名】明細書
【補正対象項目名】０００５
【補正方法】変更
【補正の内容】
【０００５】
本発明は、このような事情に鑑みてなされたものであり、その目的は、静電気の影響を軽減させることが可能な遊技機を提供することにある。
【手続補正４】
【補正対象書類名】明細書
【補正対象項目名】０００６
【補正方法】変更
【補正の内容】
【０００６】
［手段１］に係る遊技機は、遊技球を貯留する球タンク部と、前記遊技球を受け入れ、当該遊技球を下方に備える払出装置へ流下する流下通路部と、前記球タンク部に貯留された前記遊技球を、前記流下通路部の球受け入れ口へと誘導する誘導レール部と、外部装置と接続可能な外部端子板と、を備え、前記外部端子板が、遊技機後方から見たとき、前記球タンク部の右側であって、前記流下通路部の前記球受け入れ口よりも上側の位置に設けられた遊技機において、前記誘導レール部は、前記球タンク部を構成する後端壁部より後方へと前記外部端子板から遠ざかるように屈曲し、当該外部端子板の下方の前記流下通路部の前記球受け入れ口へと遊技球を誘導可能に形成されており、前記球タンク部は、帯電した遊技球の静電気を当該球タンク部を通じて除電可能に構成されている
ことを特徴とする遊技機である。
【手続補正５】
【補正対象書類名】明細書
【補正対象項目名】０００７
【補正方法】変更
【補正の内容】
【０００７】
本発明によれば、静電気による影響を軽減させることが可能な遊技機を提供することが可能となる。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
本体枠と前記本体枠に対して開閉可能な扉枠と該扉枠に設けられる演出操作部とを備えた遊技機において、
前記演出操作部として、第１演出操作部と、第２演出操作部とを備え、
前記第２演出操作部は、
遊技者による操作によって回動させることが可能であり、初期状態においてその一部が前記第１演出操作部よりも遊技者側に位置しており、
前記第２演出操作部を振動させることが可能であって、該第２演出操作部への遊技者による操作に応じて移動する振動源を備え、
前記初期状態から、前記振動源を伴って回動した後、該振動源を伴って回動して前記初期状態に復帰し、
前記第１演出操作部と前記第２演出操作部と前記振動源は、一の操作ユニットとして一体化されて前記扉枠に対して着脱可能である
ことを特徴とする遊技機。
【手続補正２】
【補正対象書類名】明細書
【補正対象項目名】０００２
【補正方法】変更
【補正の内容】
【０００２】
パチンコ機等に代表される遊技機において、遊技者が操作可能な演出操作部を振動させる振動モータを搭載したものが知られている（例えば特許文献１）。
【手続補正３】
【補正対象書類名】明細書
【補正対象項目名】０００３
【補正方法】変更
【補正の内容】
【０００３】
【特許文献１】特開２０１０−２７９５３０号公報
【手続補正４】
【補正対象書類名】明細書
【補正対象項目名】０００４
【補正方法】変更
【補正の内容】
【０００４】
しかしながら、上記特許文献１に記載される演出操作部においては、演出操作部と振動源が別々に設けられており、振動源から伝達される振動を、遊技者に対していかに効率よく伝えるかという点について改善の余地があった。
【手続補正５】
【補正対象書類名】明細書
【補正対象項目名】０００５
【補正方法】変更
【補正の内容】
【０００５】
本発明は、このような事情に鑑みてなされたものであり、その目的は、遊技者に対して振動源が発生させる振動を効率よく伝達することが可能な遊技機を提供することにある。
【手続補正６】
【補正対象書類名】明細書
【補正対象項目名】０００６
【補正方法】変更
【補正の内容】
【０００６】
［手段１］に係る遊技機は、
本体枠と前記本体枠に対して開閉可能な扉枠と該扉枠に設けられる演出操作部とを備えた遊技機において、
前記演出操作部として、第１演出操作部と、第２演出操作部とを備え、
前記第２演出操作部は、
遊技者による操作によって回動させることが可能であり、初期状態においてその一部が前記第１演出操作部よりも遊技者側に位置しており、
前記第２演出操作部を振動させることが可能であって、該第２演出操作部への遊技者による操作に応じて移動する振動源を備え、
前記初期状態から、前記振動源を伴って回動した後、該振動源を伴って回動して前記初期状態に復帰し、
前記第１演出操作部と前記第２演出操作部と前記振動源は、一の操作ユニットとして一体化されて前記扉枠に対して着脱可能である
ことを特徴とする遊技機。
【手続補正７】
【補正対象書類名】明細書
【補正対象項目名】０００７
【補正方法】変更
【補正の内容】
【０００７】
本発明によれば、遊技者に対して振動源が発生させる振動を効率よく伝達することが可能な遊技機を提供することが可能となる。